(57)【要約】【課題】モノポールアンテナを立体構造として高利得で小型なアンテナを製作する。また、波形アンテナに使用する導体１を工業的に生産可能な製造方法とする。【解決手段】携帯型無線機に共鳴する長さの平形状の導体や複数芯の導線及びエナメル線を用いて、アンテナ利得を高める微小な波形構造の導体１に加工する。微小な波形構造の導体１にアンテナの強度と絶縁を持たせる為の筒状や棒状の絶縁体２で導体１に被覆を施す。動力で回転するピッチの小さい二個の平歯車の間に、アンテナ材料を通して導体１に圧縮加工して、筒状や棒状の絶縁体２で被覆を施す。【選択図】  図１
2005176309.tif 000002
【特許請求の範囲】
【請求項１】
連続する微小な波形を導体１として、その導体１を絶縁体２で被覆することを特徴とする波形アンテナ。
【請求項２】
導体１は帯状の導体からなり、絶縁体２は筒状の絶縁体からなることを特徴とした請求項１の波形アンテナ。
【請求項３】
導体１は複数芯の導体からなり、絶縁体２は筒状の絶縁体からなることを特徴とした請求項１の波形アンテナ。
【請求項４】
導体１はエナメル線からなり、絶縁体２は筒状の絶縁体からなることを特徴とした請求項１の波形アンテナ。
【請求項５】
導体１は帯状の導体からなることを特徴とした請求項１の波形アンテナ。
【請求項６】
導体１は複数芯の導体からなることを特徴とした請求項１の波形アンテナ。
【請求項７】
導体１はエナメル線からなることを特徴とした請求項１の波形アンテナ。
【請求項８】
動力で回転するピッチの小さい二個の平歯車５の間にアンテナ材料６を通して圧縮加工することにより、波形アンテナに使用する微小な波形構造の導体１を連続的に生産する製造方法。
【請求項９】
平歯車５は歯先が丸く、板状の歯８からなる非噛み合い式の平歯車７として、導体１を高利得の導体とする請求項８の製造方法。
【請求項１０】
平歯車５は板状の歯１０からなる歯先の角が丸い非噛み合い式の平歯車９として、導体１を高利得の導体とする請求項８の製造方法。
【請求項１１】
連続する微小な波形を中利得の導体１として、中利得の導体１に柔軟性を持つ棒状の絶縁体２を被覆することを特徴とする柔軟性を有する中利得の波形アンテナ。
【請求項１２】
導体１は複数芯の導線からなることを特徴とした請求項１１の柔軟性を有する中利得の波形アンテナ。
【請求項１３】
導体１は縒りのかかった複数芯の導線からなることを特徴とした請求項１１の柔軟性を有する中利得の波形アンテナ。
【請求項１４】
連続する微小な波形を高利得の導体１として、高利得の導体１に柔軟性を持つ棒状の絶縁体２を被覆することを特徴とする柔軟性を有する高利得の波形アンテナ。
【請求項１５】
導体１は複数芯の導線からなることを特徴とした、請求項１４の柔軟性を有する高利得の波形アンテナ。
【請求項１６】
導体１は縒りのかかった複数芯の導線からなることを特徴とした、請求項１４の柔軟性を有する高利得の波形アンテナ。
【発明の詳細な説明】
【技術分野】
【０００１】
本発明は導体１を微小な波形の連続構造とした携帯型無線アンテナに関するものである。
【背景技術】
【０００２】
アンテナを小型化して、アンテナの利得を高くするものはモノポールアンテナを螺旋状に巻いたヘリカルアンテナであった。従来、モノポールアンテナが携帯型無線アンテナに使用されていたが、モノポールアンテナはアンテナ全長が長いという欠点がある。
【特許文献１】特開平１０−６５４３６号公報
【発明の開示】
【発明が解決しようとする課題】
【０００３】
解決しようとする問題点は、モノポールアンテナを立体構造として利得が高い小型のアンテナを製作することであり、波形アンテナに使用する導体１を工業的に生産することである。
【課題を解決するための手段】
【０００４】
連続する微小な波形の導体１を波形アンテナの基本構造として、その導体１を筒状または棒状の絶縁体２で被覆した波形アンテナとする。動力で回転する二個の平歯車５の間にアンテナ材料６を通して線形を有する微小な波形の導体１に圧縮加工する。そして、強度と絶縁を保つために筒状および棒状の絶縁体２で被覆する。
【発明の効果】
【０００５】
波形アンテナは連続する微小な波形を導体１の構造とすることで利得が高いアンテナとなり、モノポールアンテナより３割から４割全長を短くする事ができる特徴がある。波形アンテナはこれ以上利得が高くすることができない高利得の波形アンテナと、利得の上がりきっていない中利得の波形アンテナに分けられるが、中利得の波形アンテナは新たに構造を加えて高利得なアンテナとすることができるため、新たなアンテナを製作する材料となる。二個の動力で回転する平歯車５にアンテナ材料６を噛み合わせ、連続的に圧縮加工することで波形アンテナに使用する導体１を工業的に生産することが出来る。
【発明を実施するための最良の形態】
【０００６】
導体１は帯状の導体からなり、携帯型無線機に共鳴する長さとする。導体１の形状である波形の振幅は出来るだけ小さい値の振幅、周期は振幅に応じて高いアンテナ利得が得られる値を用いて微小波形構造に加工することで高利得の導体１となる。その後、導体１の強度と絶縁を保つ為に微小な波形構造の導体１に筒状の絶縁体２で被覆を施す。絶縁体２は導体１を覆う簡単な被覆でも良く、導体１は被覆のない複数芯の導線やエナメル線も使用することができる。複数芯の導線を用いて微小波形構造に加工した場合、複数芯からなる導体１は圧縮加工されているため、帯状の導体を使用した場合と同様に圧縮加工後の全複数芯導線の断面は薄い断面となる。
【０００７】
平歯車５の歯車ピッチはアンテナ材料６を微小な波形に圧縮加工できる大きさであり、導体１が一本の線形を有するように出来るだけ小さい歯車ピッチとする。この条件の二個の平歯車５を用いてアンテナ材料６を圧縮加工することにより、線形を有する微小な波形構造の導体１となる。平歯車５をピッチの小さいインボリュート平歯車とすると、利得が上がりきっていない中利得の導体１となり、平歯車５を板状の歯８からなるピッチの小さい平歯車７とすると、高利得の導体１となる。なお、平歯車７は歯先が丸く、板状の歯８からなり、アンテナ材料６を微小な波形構造に圧縮加工することが出来る歯車ピッチで構成されている。
【０００８】
平歯車７は歯先が丸く、板状の歯８からなり、アンテナ材料６を微小な波形構造に圧縮加工することが出来る平歯車である。このような平歯車７を用いてアンテナ材料６を圧縮加工すると、インボリュート平歯車５で圧縮加工した導体１より微小波形の周期が小さくなるので、高利得の導体１が製造できる。この平歯車は圧縮加工において、アンテナ材料６が非噛み合い式平歯車７により圧縮加工されない振幅の高い部分があるため、帯状や単芯のアンテナ材料６の圧縮加工に適している。
【０００９】
平歯車９は板状の歯１０からなり、歯１０の先端は角が丸く、アンテナ材料６を微小な波形構造に圧縮加工することが出来る、非噛み合い式の平歯車である。歯車ピッチはアンテナ材料６を微小な波形に圧縮加工できる大きさであり、導体１が一本の線形を有するように出来るだけ小さい歯車ピッチとする。この歯車は圧縮加工において、アンテナ材料６の側面全てを圧縮加工するので、複数芯の導体を微小な波形に圧縮加工するのに適している。
【００１０】
波形アンテナは微小な波形構造の導体１に絶縁体２で被覆することにより強度と絶縁を保つことが出来る波形アンテナとなるが、中利得の波形アンテナは新たに構造を加えて、高利得のアンテナとして使用できるため、中利得の波形アンテナに新たな構造を加えて高利得のアンテナとした場合、新たな構造においてアンテナの強度を持たせることができるので絶縁体２が必要でないこともある。そのため、被覆の無い複数芯からなる導体１を棒状の絶縁体２を被覆しない、無被覆の波形アンテナとすることもできる。
【００１１】
連続する微小な波形の導体からなる導体１を筒状の絶縁体２を用いて波形アンテナにすると新たな構造を加えて二次加工が困難になるため、二次加工しないで高利得の波形アンテナのまま使用するに適している。また、帯状の導体からなる連続する微小な波形の導体１を筒状の絶縁体２を使用しないで、無被覆の波形アンテナとする場合や帯状の導体からなる導体１を棒状の絶縁体２を用いて波形アンテナとした場合も、外部からの力で連続する微小な波形構造の導体１に変形が生じないところで使用するのが適当である。
【００１２】
高利得の導体１を用いた高利得の波形アンテナは新たに構造を追加して新たなアンテナとするとアンテナ利得が下がるので、高利得波形アンテナは高利得アンテナのままで直線状もしくは、直線状に近い形状のアンテナとして使用するのが適している。
【００１３】
波形アンテナは外部からの力が加わらない場所で高利得アンテナとして使用するか、高利得のアンテナを製作するための中利得の波形アンテナとして使用することが適当である。複数芯を用いた波形アンテナは微小な波形構造の導体１を強度と絶縁を保つために棒状の絶縁体２で被覆するのが良いが、複数芯を用いた中利得の波形アンテナは新たに構造を加えて、高利得のアンテナとして使用することに適している。
【００１４】
帯状の連続する微小な波形の導体からなる導体１を筒状や棒状の絶縁体２を用いて波形アンテナとした場合、導体１は外部からの力により微小な波形構造が変形すると元に戻らないので、外部から力が加わらないところで使用するか、外部からの力でも導体１に力が加わらない絶縁体２を用いて波形アンテナとするのが適当である。
【００１５】
複数芯の導線は縒りのかかった導線で１０芯くらいの導線が微小な波形構造である導体１に加工するのに適している。複数芯からなる微小な波形構造を持つ導体１は柔軟な性質を有していて、外部からの力に対して柔軟に対応できる。そのため、複数芯の導線を微小な波形構造である導体１として、柔軟性のある棒状の絶縁体２で被覆することで波形アンテナは柔軟性および強度を持つアンテナとなる。柔軟性および強度を持つ波形アンテナは二次加工して使用する場合に適している。
【００１６】
エナメル線を用いた無被覆の波形アンテナは微小な波形の振幅方向に対して、垂直方向に湾曲加工することが容易に出来るので、中利得アンテナで平面内及び立体的に構造を追加して高利得アンテナとする場合に適している。また、単芯からなる連続する微小な波形構造の導体１として棒状の絶縁体２で被覆した場合の波形アンテナも平面内及び立体的に構造を追加して高利得アンテナとする場合に適している。
【００１７】
厚さ０．２ミリの帯状の導体を動力で回転する二個のモジュール０．５のインボリュート平歯車５で微小な波形に圧縮加工する場合、インボリュート平歯車５による圧縮加工の前後で帯状の導体厚に変化はなく、振幅約０．３５ミリ、周期約１．６ミリの微小な波形の導体１となる。そして、導体１に強度を持たせるように筒状の絶縁体２で被覆する。なお、波形アンテナに振動がかかっても、導体１が筒状の絶縁体２内の四隅に安定して固定されるように帯状の幅を定めるものとする。
【００１８】
直径０．５ミリの１０芯線を動力で回転する二つの回転するモジュール０．５のインボリュート平歯車５で微小な波形に加工する場合、インボリュート平歯車５による圧縮加工ので１０芯線は、直径０．５ミリの円形断面から幅約１．０ミリ、厚さ約０．３ミリの断面になり、振幅約０．３５ミリ、周期約１．６ミリの微小な波形構造の導体１となる。そして、導体１に強度と絶縁を持たせる為に筒状の絶縁体２で被覆する。なお、波形アンテナが振動などの力がかかっても、導体１が筒状の絶縁体２の内側に安定して固定されるように筒状の絶縁体２の内径を定めるものとする。
【００１９】
直径０．２ミリのエナメル線を動力で回転する二つの回転するモジュール０．５のインボリュート平歯車５で微小な波形に加工する場合、インボリュート平歯車５による圧縮加工の前後でエナメル線の直径に変化はなく、振幅約０．４ミリ、周期約１．６ミリの微小な波形構造の導体１となる。エナメル線からなる導体１を筒状の絶縁体２を用いて波形アンテナとした場合、外部からの力を受けて微小な波形構造に変形が起きると元に戻らないので、外部から力が加わらないところで使用するか、外部からの力でも導体１に力が加わらない筒状の絶縁体２を用いて波形アンテナとするのが適当である。なお、波形アンテナが振動などの力がかかっても、導体１が筒状の絶縁体２に接することで安定して固定されるように絶縁体２の内径を定めるものとする。
【図面の簡単な説明】
【００２０】
【図１】導体１を帯状の導体で作り、筒状の絶縁体２で覆った本発明の斜視図である。
【図２】導体１を複数芯の導線で作り、筒状の絶縁体２で覆った本発明の斜視図である。
【図３】導体１をエナメル線で作り、筒状の絶縁体２で覆った本発明の斜視図である。
【図４】導体１を平形状の導体で作り、絶縁体２で覆った本発明の斜視図である。
【図５】導体１を複数芯の導線で作り、絶縁体２で覆った本発明の斜視図である。
【図６】導体１をエナメル線で作り、絶縁体２で覆った本発明の斜視図である。
【図７】導体１の製造を示した平面図である。
【図８】高利得な波形アンテナ用の平歯車７を示した平面図である。
【図９】高利得な波形アンテナ用の平歯車９を示した平面図である。
【符号の説明】
【００２１】
１    導体
２    絶縁体
５    平歯車
６    アンテナ材料
７    平歯車
８    歯
９    平歯車
１０  歯
【図１】
2005176309.tif 000003
【図２】
2005176309.tif 000004
【図３】
2005176309.tif 000005
【図４】
2005176309.tif 000006
【図５】
2005176309.tif 000007
【図６】
2005176309.tif 000008
【図７】
2005176309.tif 000009
【図８】
2005176309.tif 000010
【図９】
2005176309.tif 000011